(57)【特許請求の範囲】
【請求項１】
箱体内に収容して洗浄水を送出するポンプと、同ポンプの一方の接続口と飲料ディスペンサの飲料供給導管の供給口とを接続する第１管継手と、同ポンプの他方の接続口と同飲料供給導管の注出口とを接続する第２管継手と、前記ポンプから送出されて前記飲料供給導管に流入する洗浄水の流入させる向きを前記第１管継手側から流入させて前記第２管継手側に流出させる向きと前記第２管継手側から流入させて前記第１管継手側に流出する向きとを切替える切替装置とを備え、前記ポンプから送出する洗浄水を前記切替装置により前記第１管継手側からと前記第２管継手側からと交互に前記飲料供給導管内に流入させて前記洗浄水の水流により洗浄具を前記飲料供給導管内で往復摺動させることで洗浄する飲料ディスペンサの洗浄装置において、
前記第１管継手及び前記第２管継手の少なくとも一方を前記箱体の上部に設けるとともにこの箱体の上部に設けた前記第１管継手及び前記第２管継手の少なくとも一方には前記洗浄具を上方から載置可能にして前記飲料供給導管に導入させる凹部を備えるようにしたことを特徴とする飲料ディスペンサの洗浄装置。
【請求項２】
前記箱体の上部に設けた前記第１管継手及び前記第２管継手の何れか一方は、前記箱体に固定した固定部とこの固定部に着脱可能に取り付けられて前記飲料供給導管に接続される接続部とを備え、前記固定部または前記接続部の少なくとも一方に前記凹部を設けたことを特徴とする請求項１に記載の飲料ディスペンサの洗浄装置。
【請求項３】
前記接続部には前記飲料供給導管側に向けて傾斜するテーパを備えたことを特徴とする請求項２に記載の飲料ディスペンサの洗浄装置。
【発明の詳細な説明】
【技術分野】
【０００１】
本発明は、飲料ディスペンサの洗浄装置に関し、特にスポンジ玉等の洗浄具を飲料ディスペンサの飲料供給導管内で往復摺動させて洗浄する飲料ディスペンサの洗浄装置に関する。
【背景技術】
【０００２】
特許文献１には、洗浄水を送出する洗浄液供給器の洗浄液供給口が四方弁を介して飲料ディスペンサの飲料供給導管の飲料供給口と飲料注出口とに接続されており、四方弁の切替えにより洗浄水供給器から送出する洗浄水を飲料ディスペンサの飲料供給導管の飲料供給口と飲料注出口とから交互に飲料供給導管内に流入させ、飲料供給導管内に流入した洗浄水の水流により飲料供給導管内に挿入したスポンジ玉のような洗浄具を往復摺動させることで飲料供給導管を洗浄する飲料ディスペンサの洗浄装置が開示されている。
【特許文献１】特開平０８−０３４４９０号公報
【発明の開示】
【発明が解決しようとする課題】
【０００３】
上記の飲料ディスペンサの洗浄装置では、スポンジ玉を飲料供給導管内に導入するときには、飲料供給導管と四方弁とを接続する洗浄ホースから挿入して飲料供給導管内に導入している。スポンジ玉を洗浄ホースに挿入するときには、スポンジ玉を洗浄ホースの内径より小さく押しつぶして圧入しなければならなく洗浄前の準備作業が面倒であった。また、洗浄後にスポンジ玉を取り出すときには、洗浄ホースにおける四方弁との接続口に残るスポンジ玉を細い棒等で掻き出すか、洗浄液供給器から送出する洗浄水の水流により予め用意したバケツ等の容器に吐出させたりしなければならなく洗浄後の作業も面倒となっていた。また、スポンジ玉を取り出すために洗浄ホースを四方弁から取り外すときには、四方弁の接続口が水平方向を向いているために予めバケツ等の容器で残留する洗浄液を受けながら洗浄ホースを取り外さなければならなく、洗浄後の作業が面倒であるとともに洗浄液で床を汚すおそれがあった。本発明は、スポンジ玉のような洗浄具を飲料供給導管に容易に出し入れすることのできる飲料ディスペンサの洗浄装置を提供することを目的とする。
【課題を解決するための手段】
【０００４】
本発明は上記課題を解決するため、箱体内に収容して洗浄水を送出するポンプと、同ポンプの一方の接続口と飲料ディスペンサの飲料供給導管の供給口とを接続する第１管継手と、同ポンプの他方の接続口と同飲料供給導管の注出口とを接続する第２管継手と、ポンプから送出されて飲料供給導管に流入する洗浄水の流入させる向きを第１管継手側から流入させて第２管継手側に流出させる向きと第２管継手側から流入させて第１管継手側に流出する向きとを切替える切替装置とを備え、ポンプから送出する洗浄水を切替装置により第１管継手側からと第２管継手側からと交互に飲料供給導管内に流入させて洗浄水の水流により洗浄具を飲料供給導管内で往復摺動させることで洗浄する飲料ディスペンサの洗浄装置において、第１管継手及び第２管継手の少なくとも一方を箱体の上部に設けるとともにこの箱体の上部に設けた第１管継手及び第２管継手の少なくとも一方には洗浄具を上方から載置可能にして飲料供給導管に導入させる凹部を備えるようにしたことを特徴とする飲料ディスペンサの洗浄装置を提供するものである。
【０００５】
上記のように構成した飲料ディスペンサの洗浄装置においては、第１管継手及び第２管継手の少なくとも一方を箱体の上部に設けるとともにこの箱体の上部に設けた第１管継手及び第２管継手の少なくとも一方には洗浄具を上方から載置可能にして飲料供給導管に導入させる凹部を備えるようにしたので、洗浄具をホース等に押し込むことなく箱体の上部で上方から載置して凹部に収容して飲料供給導管内に導入することができるようになり、洗浄具を導入する作業が楽になる。また、洗浄後に洗浄具を取り出すときには、凹部に戻した洗浄具を上方から容易に取出すことができるようになる。
【０００６】
上記のように構成した飲料ディスペンサの洗浄装置においては、箱体の上部に設けた第１管継手及び第２管継手の何れか一方は、箱体に固定した固定部とこの固定部に着脱可能に取り付けられて飲料供給導管に接続される接続部とを備え、固定部または接続部の少なくとも一方に凹部を設けるのが好ましく、このようにしたときには、固定部から接続部を取り外した後で洗浄具を上方から載置して凹部に入れて、再び固定部に接続部を取り付けることで洗浄具を飲料供給導管内に導入することができるようになる。また、洗浄後に洗浄具を取り出すときには、固定部から接続部を取り外すことで凹部に戻した洗浄具を上方から容易に取出すことができるようになる。
【０００７】
上記のように構成した飲料ディスペンサの洗浄装置においては、接続部には飲料供給導管側に向けて傾斜するテーパを備えるようにするのが好ましく、このようにしたときには、凹部にある洗浄具が接続部のテーパに沿って洗浄水の水流により接続部から飲料供給導管内に導出されるようになり、接続部内に引っ掛かって導出されなくなることがない。
【発明を実施するための最良の形態】
【０００８】
以下に、本発明による飲料ディスペンサの洗浄装置の一実施形態を図面を参照して説明する。図１に示すように、この飲料ディスペンサの洗浄装置１０は、箱体１１内に収容して洗浄水を送出するポンプ１２と、ポンプ１２の一方の接続口と飲料ディスペンサＤの飲料供給導管Ｐの供給口Ｐ１とを接続する第１管継手２０と、ポンプ１２の他方の接続口と飲料供給導管Ｐの注出口Ｐ２とを接続する第２管継手３０と、ポンプ１２から送出されて飲料供給導管Ｐに流入する洗浄水の流入させる向きを第１管継手２０側から流入させて第２管継手３０側に流出させる向きと第２管継手３０側から流入させて第１管継手２０側に流出する向きとを切替える切替装置１３とを備え、ポンプ１２から送出する洗浄水を切替装置１３により第１管継手２０側からと第２管継手３０側からと交互に飲料供給導管Ｐ内に流入させてスポンジ玉Ｓを飲料供給導管Ｐ内で往復摺動させることで飲料供給導管Ｐを洗浄するものである。なお、本実施形態に用いられるスポンジ玉Ｓは、その直径が飲料供給導管Ｐの内径より大きく飲料供給導管Ｐの内径とほぼ同じ大きさに弾性変形可能なものである。
【０００９】
図１に示すように、ポンプ１２は、箱体１１外に設けられた洗浄水タンクＴの洗浄水を送出するものであり、その流入口は洗浄ホースＨ１を介して洗浄水タンクＴに接続されており、送出口は洗浄ホースＨ２を介して切替装置１３に接続されている。
【００１０】
図１に示すように、切替装置１３は、ポンプ１２から送出される洗浄水の送出先を第１管継手２０側と第２管継手３０側とに選択的に切替えるものである。切替装置１３には、互いに連結して直列に閉じるように接続する４つの開閉弁（第１開閉弁〜第４開閉弁）１３ａ〜１３ｄを備えている。切替装置１３においては、第１開閉弁１３ａと第２開閉弁１３ｂとの間には、ポンプ１２の送出口から導出する洗浄ホースＨ２が接続されている。第２開閉弁１３ｂと第３開閉弁１３ｃとの間には、第１管継手２０に接続された洗浄ホースＨ３が接続されている。第３開閉弁１３ｃと第４開閉弁１３ｄとの間には、洗浄水タンクＴに接続された洗浄ホースＨ４が接続されている。第４開閉弁１３ｄと第１開閉弁１３ａとの間には、第２管継手３０に接続された洗浄ホースＨ５が接続されている。
【００１１】
この切替装置１３においては、ポンプ１２から洗浄水を第１管継手２０側に送出するときには第２、第４開閉弁１３ｂ、１３ｄを開弁させ、第１、第３開閉弁１３ａ、１３ｃを閉弁させる。また、ポンプ１２から洗浄水を第２管継手３０側に送出するときには、切替装置１３の第１、第３開閉弁１３ａ、１３ｃを開弁させ、第２、第４開閉弁１３ｂ、１３ｄを閉弁させる。
【００１２】
図１及び図２に示すように、第１管継手２０は、ポンプ１２の一方の接続口と飲料ディスペンサＤの飲料供給導管Ｐの供給口Ｐ１とを接続するものであり、箱体１１の上部に設けられている。
【００１３】
図３に示すように、第１管継手２０は、箱体１１の上板に設けた開口に挿入されて同上板に固定される第１接続ジョイント２１を備えている。第１接続ジョイント２１は、洗浄液通路となる貫通孔２１ａを有する略円筒形をしている。貫通孔２１ａは、上部で２段に形成された大径部２１ｂと、中間部でこの大径部２１ｂより有段状に狭く形成された中径部２１ｃと、下部でこの中径部２１ｃより円錐状に狭くなりこの中径部２１ｃより径の小さい小径部２１ｄとからなる。第１接続ジョイント２１は、大径部２１ｂにビール樽のディスペンスヘッドＥが着脱可能に接続されている。なお、ディスペンスヘッドＥには、飲料供給導管Ｐの供給口Ｐ１に接続されたビールホースＨ６が継手２４を介して接続されている。ディスペンスヘッドＥの液通路Ｅ１内には、ビア樽に取り付けられたときにビールの逆流防止のための逆止玉Ｅ２が移動可能に挿入されている。ディスペンスヘッドＥの液通路Ｅ１内には、ビールホースＨ６を取り外したときに逆止玉Ｅ２が液通路Ｅ１から流出しないようにする阻止部材Ｅ３が設けられている。なお、この阻止部材Ｅ３は、ディスペンスヘッドＥ内で洗浄水の通過を許容するがスポンジ玉Ｓの通過を阻むようにもなっている。第１接続ジョイント２１には、中径部２１ｃに洗浄水が通過するように放射状に開口した座板２２が設けられている。この座板２２の中央にはディスペンスヘッドＥ内の液通路Ｅ１に隙間を空けて挿入される止め棒２３が固定されており、この止め棒２３により洗浄水が第２管継手３０側から第１管継手２０側に流れているときに逆止玉Ｅ２によりその流路を塞がないようになっている。接続ジョイント２１の下部は、貫通孔２１ａに連通する洗浄ホースＨ３が接続されている。
【００１４】
図１及び図２に示すように、第２管継手３０は、ポンプ１２の他方の接続口と飲料ディスペンサＤの飲料供給導管Ｐの注出口Ｐ２とを接続するものであり、箱体１１の上部に設けられている。
【００１５】
図３に示すように、第２管継手３０は、箱体１１の上板に設けた開口に挿入されて同上板に固定された第２接続ジョイント（固定部）３１と、第２接続ジョイント３１にユニオンナット３２により固定されたアダプタ（接続部）３３とから主に構成される。
【００１６】
図３に示すように、第２接続ジョイント３１は、洗浄液通路となる貫通孔３１ａを有する略円筒形をしており、第２接続ジョイント３１の下部には、洗浄ホースＨ５が接続されている。貫通孔３１ａは、上部で大径部３１ｂと、中間部でこの大径部３１ｂより有段状に狭く形成された中径部３１ｃと、下部でこの中径部３１ｃより円錐状に狭くなり、中径部３１ｃより径の小さい小径部３１ｄとからなる。第２接続ジョイント３１の大径部３１ｂには、中径部３１ｃとの段部に中径部３１ｃの直径より大きな十字座板（阻止部材）３４が設けられている。
【００１７】
図４に示すように、十字座板３４は円環板の内側に十字板を一体的に成形したゴム製の座板であり、十字座板３４は円環板と十字板との間から洗浄液の通過を許容するが十字板によりスポンジ玉Ｓの通過を阻むものである。また、十字座板３４は、大径部３１ｂの内径より少し大きな内径となる部分に嵌合されていて、洗浄水の水流により上下動しないようになっている。なお、十字座板３４は、ゴム製であるので弾性変形して容易に嵌合させることが可能となっている。大径部３１ｂで十字座板３４の上側は、スポンジ玉Ｓを載置可能で少なくとも一部を収容する凹部３１ｅとなっている。なお、この凹部３１ｅの直径は、スポンジ玉Ｓの直径より大きくなっているので、スポンジ玉Ｓを押しつぶす等して弾性変形させることなく凹部３１ｅに載置可能となっている。また、スポンジ玉Ｓを弾性変形させることなく凹部３１ｅに載置可能であるので、第２接続ジョイント３１にアダプタ３３を取り付けるときに、スポンジ玉Ｓが第２接続ジョイント３１とアダプタ３３との間に挟み込まれにくくなる。さらに、凹部３１ｅの深さは、載置されたスポンジ玉Ｓを取り出しやすくするためにスポンジ玉Ｓの直径より浅くなっている。
【００１８】
第２接続ジョイント３１の上側にはアダプタ３３がその間にＯリング３５を挟んでユニオンナット３２により固定されている。図３に示すように、アダプタ３３は、洗浄液通路となる貫通孔３３ａを有する略円筒形をしている。アダプタ３３の上部には、継手３６により洗浄ホースＨ７が着脱可能に接続されている。アダプタ３３の貫通孔３３ａは、上部に小径部３３ｂと、下部で下側に向けて円錐状に拡がる凹部３３ｃが形成がされている。スポンジ玉Ｓは、第２接続ジョイント３１の凹部３１ｅに載置されたときに、この円錐状に拡がる凹部３３ｃにより弾性変形させることなく収容される。また、第２接続ジョイント３１にアダプタ３３を取り付けるときには、凹部３１ｅに載置したスポンジ玉Ｓは、弾性変形することなく凹部３１ｅと凹部３３ｃとに収容されるので、スポンジ玉Ｓが第２接続ジョイント３１とアダプタ３３との間に挟み込まれにくくなる。さらに、凹部３３ｃには、飲料供給導管Ｐ側に向けて傾斜するテーパが形成されているので、スポンジ玉Ｓがアダプタ３３内で引っ掛かることなく洗浄ホースＨ７を介して飲料供給導管Ｐ内に導入されやすくなる。
【００１９】
なお、本実施形態においては、第１管継手２０は、ポンプ１２の一方の接続口とする送出口と飲料供給導管Ｐの供給口Ｐ１とを接続するときには、洗浄ホースＨ２、Ｈ３及びビールホースＨ６とを介して接続されており、第２管継手３０は、ポンプ１２の他方の接続口とする流入口と飲料供給導管Ｐの注出口Ｐ２とを接続するときには、洗浄ホースＨ１、Ｈ４、Ｈ５及びＨ７を介して接続されている。また、第１管継手２０は、ポンプ１２の一方の接続口とする流出口と飲料供給導管Ｐの供給口Ｐ１とを接続するときには、洗浄ホースＨ１、Ｈ３、Ｈ４及びビールホースＨ６とを介して接続されており、第２管継手３０は、他方の接続口とする送出口と飲料供給導管Ｐの注出口Ｐ２とを接続するときには、洗浄ホースＨ２、Ｈ５及びＨ７を介して接続されている。
【００２０】
図２に示すように、箱体１１の上面には、第１管継手２０と第２管継手３０とが取り付けられた位置を含む部分に受皿１４が設けられており、受皿１４は、各管継手２０、３０にビールホースＨ６、洗浄ホースＨ７を取り付け及び取り外す際に溢出する洗浄水を受けるためのものである。
【００２１】
飲料ディスペンサの洗浄装置１０には、箱体１１の上面に切替装置１３の開閉弁１３ａ〜１３ｄに接続されたアナログタイマ１５が設けられており、アナログタイマ１５により、各開閉弁１３ａ〜１３ｄをそれぞれ開閉させることでポンプ１２から送出されて飲料供給導管Ｐに流入する洗浄水の向きを切替る。
【００２２】
上記のように構成した飲料ディスペンサの洗浄装置１０による飲料ディスペンサＤの洗浄について説明する。飲料ディスペンサの洗浄装置１０では、第２管継手３０のユニオンナット３２を緩めて第２接続ジョイント３１からアダプタ３３を取り外す。スポンジ玉Ｓを十字座板３４の上側で第２接続ジョイント３１の凹部３１ｅに上方から載置し、再び第２接続ジョイント３１にアダプタ３３をユニオンナット３２によって取り付ける。なお、スポンジ玉Ｓは、弾性変形させることなくそのまま凹部３１ｅに載置することができる。飲料の注出完了した飲料ディスペンサＤでは、飲料供給導管Ｐの注出口Ｐ２に取り付けられている注出コックＣと、飲料供給導管Ｐの供給口Ｐ１にビールホースＨ６を介して接続されているビア樽のディスペンスヘッドＥを取り外す。取り外したディスペンスヘッドＥを飲料ディスペンサの洗浄装置１０の第１管継手２０の第１接続ジョイント２１に取り付けるとともに、飲料供給導管Ｐの供給口Ｐ１に接続された洗浄ホースＨ７を継手３６により第２管継手３０のアダプタ３３に接続する。
【００２３】
このような状態で、飲料ディスペンサの洗浄装置１０を作動させると、ポンプ１２は洗浄水タンクＴ内の洗浄水を送出するとともに、アナログタイマ１５により切替装置１３の各開閉弁１３ａ〜１３ｄをそれぞれ開閉させて、ポンプ１２から送出されて飲料供給導管Ｐに流入する洗浄水の向きを第１管継手２０側からの向きと第２管継手３０側からの向きとを交互に切替える。詳細には、アナログタイマ１５により設定された所定時間としてスポンジ玉Ｓが洗浄水による水流により第１管継手２０と第２管継手３０との間を移動する時間、第１、第３開閉弁１３ａ、１３ｃを開弁させるとともに第２、第４開閉弁１３ｂ、１３ｄを閉弁させる。このように切替装置１３の各開閉弁１３ａ〜１３ｄをそれぞれ開閉操作した状態で、洗浄水タンクＴからポンプ１２により送出する洗浄水は、第２管継手３０から導出されて洗浄ホースＨ７を通って注出口Ｐ２から飲料供給導管Ｐ内に流入する。注出口Ｐ２から流入した洗浄水は、同飲料供給導管Ｐを通って供給口Ｐ１から流出する。供給口Ｐ１から流出した洗浄水は、ビールホースＨ６を通って第１管継手２０へ送られ、第１管継手２０から洗浄ホースＨ３と洗浄ホースＨ４とを通って洗浄水タンクＴへ還流する。
【００２４】
第２管継手３０の凹部３１ｅに載置されているスポンジ玉Ｓは、洗浄水の水流により洗浄ホースＨ７を通って注出口Ｐ２から飲料供給導管Ｐ内に送られる。第２管継手３０の凹部３１ｅに載置されたスポンジ玉Ｓがアダプタ３３を通って流出するときには、アダプタ３３の飲料供給導管Ｐに向けて傾斜する円錐状のテーパによりアダプタ３３内で引っ掛かって残ることがない。注出口Ｐ２内から流入したスポンジ玉Ｓは、飲料供給導管Ｐ内を摺動して通って供給口Ｐ１から流出する。供給口Ｐ１から流出したスポンジ玉Ｓは、ビールホースＨ６を通ってディスペンスヘッドＥ内に送られる。ディスペンスヘッドＥ内では、スポンジ玉Ｓは、阻止部材Ｅ３により洗浄ホースＨ３を通って切替装置１３内に送られるのを阻止される。
【００２５】
上記の所定時間経過後、アナログタイマ１５により設定された所定時間としてスポンジ玉Ｓが洗浄水による水流により第１管継手２０と第２管継手３０との間を移動する時間、第２、第４開閉弁１３ｂ、１３ｄを開弁させるとともに第１、第３開閉弁１３ａ、１３ｃを閉弁させる。このように切替装置１３の各開閉弁１３ａ〜１３ｄをそれぞれ開閉操作した状態で、洗浄水タンクＴからポンプ１２により送出する洗浄水は、第１管継手２０から導出されてビールホースＨ６を通って供給口Ｐ１から飲料供給導管Ｐ内に流入する。供給口Ｐ１から流入した洗浄水は、同飲料供給導管Ｐを通って注出口Ｐ２から流出する。注出口Ｐ２から流出した洗浄水は、洗浄ホースＨ７を通って第２管継手３０から洗浄ホースＨ５と洗浄ホースＨ４とを通って洗浄水タンクＴへ還流する。
【００２６】
ディスペンスヘッドＥの阻止部材Ｅ３より止められているスポンジ玉Ｓは、洗浄水の水流によりビールホースＨ６を通って供給口Ｐ１から飲料供給導管Ｐ内に送られる。供給口Ｐ１内から流入したスポンジ玉Ｓは、飲料供給導管Ｐ内を摺動して通って注出口Ｐ２から流出する。注出口Ｐ２から流出したスポンジ玉Ｓは、洗浄ホースＨ７を通って第２管継手３０に送られる。第２管継手３０内では、スポンジ玉Ｓは、十字座板３４により洗浄ホースＨ５を通って切替装置１３内に送られるのを阻止される。上記の所定時間経過後、アナログタイマ１５により上述したのと同様に第２管継手３０側からと第１管継手２０側からと交互に洗浄水を送出することを繰り返し実行することで、スポンジ玉Ｓを飲料供給導管Ｐ内で往復摺動させて同飲料供給導管Ｐ内を洗浄する。なお、洗浄を終了するときには、十字座板３４の上側となる凹部３１ｅにスポンジ玉Ｓを戻し、第２接続ジョイント３１からアダプタ３３を取り外せば、スポンジ玉Ｓを上方から容易に取り出すことができる。
【００２７】
上記のように構成した飲料ディスペンサの洗浄装置１０においては、第１管継手２０及び第２管継手３０の少なくとも一方を箱体１１の上部に設けるとともにこの箱体１１の上部に設けた第１管継手２０及び第２管継手３０の少なくとも一方として第２管継手３０にはスポンジ玉Ｓを上方から載置可能にして飲料供給導管Ｐに導入させる凹部３１ｅ、３３ｃを備えるようにしたので、ホース等に押し込むことなく箱体１１の上部で上方から載置したスポンジ玉Ｓを凹部３１ｅ、３３ｃから飲料供給導管Ｐ内に導入することができるようになり、スポンジ玉Ｓを導入する作業が楽になる。また、洗浄後にスポンジ玉Ｓを取り出すときには、凹部３１ｅ、３３ｃに戻したスポンジ玉Ｓを上方から容易に取出すことができるようになる。
【００２８】
上記のように構成した飲料ディスペンサの洗浄装置１０においては、箱体１１の上部に設けた第１管継手２０及び第２管継手３０の何れか一方として第２管継手３０は、箱体１１に固定した第２接続ジョイント３１とこの第２接続ジョイント３１に着脱可能に取り付けられて飲料供給導管Ｐに洗浄ホースＨ７を介して接続されるアダプタ３３とを備え、第２接続ジョイント３１またはアダプタ３３の少なくとも一方に凹部を設けるようにしたので、第２接続ジョイント３１からアダプタ３３を取り外してスポンジ玉Ｓを上方から載置して凹部３１ｅ、３３ｃの少なくとも一方に入れて、再び第２接続ジョイント３１にアダプタ３３を取り付けることで飲料供給導管Ｐ内に導入することができるようになる。また、洗浄後にスポンジ玉Ｓを取り出すときには、第２接続ジョイント３１からアダプタ３３を取り外すことで凹部３１ｅ、３３ｃの少なくとも一方に戻したスポンジ玉Ｓを上方から容易に取出すことができるようになる。
【００２９】
上記のように構成した飲料ディスペンサの洗浄装置においては、アダプタ３３には飲料供給導管Ｐ側に向けて傾斜するテーパを備えるので、凹部３１ｅ、３３ｃにあるスポンジ玉Ｓがアダプタ３３のテーパに沿って洗浄水の水流によりアダプタ３３から飲料供給導管Ｐ内に導出されやすくなり、アダプタ３３内に引っ掛かって導出されなくなることがない。
【００３０】
上記のように構成した飲料ディスペンサの洗浄装置においては、凹部を第２管継手３０に設けるようにしたが、本発明はこれに限られるものでなく、第１管継手２０の構造を第２管継手３０と同様の構造とし、凹部を第１管継手２０または両方の管継手２０、３０に設けるようにしてもよい。
【００３１】
上記のように構成した飲料ディスペンサの洗浄装置においては、洗浄水の通過を許容するが洗浄具の通過を阻む阻止部材の一つとして十字座板３４を用いているが、本発明はこれに限られるものでなく、格子状の開口や、複数のスリットや、多数の孔を有する座板を用いてもよい。
【００３２】
上記のように構成した飲料ディスペンサの洗浄装置においては、第２接続ジョイント（固定部）３１と、アダプタ（接続部）３３にそれぞれ凹部３１ｅ、凹部３３ｃを形成するようにしているが、本発明はこれに限られるものでなく、第２接続ジョイント３１とアダプタ３３との何れか一方のみに凹部を設けるようにしてもよい。なお、アダプタ（接続部）３３にのみ凹部を設けたときには、スポンジ玉Ｓを載置する第２接続ジョイント３１に、スポンジ玉Ｓが転がらないように突部等を設けるようにするとよい。
【図面の簡単な説明】
【００３３】
【図１】本発明の一実施形態を示す飲料ディスペンサの洗浄装置の概略図である。
【図２】図１の飲料ディスペンサの洗浄装置の斜視図である。
【図３】第１管継手及び第２管継手の断面図である。
【図４】十字座板を示す平面図である。
【符号の説明】
【００３４】
１０…飲料ディスペンサの洗浄装置、１１…箱体、１２…ポンプ、１３…切替装置、２０…第１管継手、３０…第２管継手、３１…固定部（第２接続ジョイント）、３３…接続部（アダプタ）、３１ｅ、３３ｃ…凹部、Ｓ…洗浄具（スポンジ玉）、Ｄ…飲料ディスペンサ、Ｐ…飲料供給導管、Ｐ１…供給口、Ｐ２…注出口。
【図１】
0005097560.tif 000002
【図２】
0005097560.tif 000003
【図３】
0005097560.tif 000004
【図４】
0005097560.tif 000005